(57)【特許請求の範囲】
【請求項１】
着信の有無を通知可能な携帯電話機であって、
携帯電話機の主機能を司る制御部と、
着信に関する情報を表示するための表示部と、
着信を検知し、着信に関する情報を蓄積する着信検知部と、
周囲の光量の変化を検知する光量変化検出部と、
着信の有無を通知する通知部と、
前記着信検知部が有する情報と前記光量変化検出部での検出結果に基づいて前記通知部に着信の有無を通知させる判定部とを備え、
前記制御部は、前記光量変化検出部が光量の増加を検知した場合に、前記着信検知部が有する着信に関する情報を前記表示部に一定期間表示させる
ことを特徴とする携帯電話機。
【請求項２】
判定部は、光量変化検出部が周囲の光量が増加したことを検出した場合に、通知部に着信の有無を通知させる
請求項１記載の携帯電話機。
【請求項３】
通知部は、携帯電話機の外面に設置される
請求項１または請求項２記載の携帯電話機。
【請求項４】
通知部は、第１の発光部と、第２の発光部とから成り、
判定部は、着信有の場合に第１の発光部を発光させ、着信無の場合に第２の発光部を発光させる
請求項１ないし請求項３記載の携帯電話機。
【請求項５】
通知部は、複数の発光色を有する発光素子であり、判定部は、着信の有無に応じた発光色を通知部に発光させる
請求項１ないし請求項３記載の携帯電話機。
【請求項６】
判定部は、使用者によって着信の有無を確認するための動作が為されたときに、通知部に着信の有無を通知させる
請求項１ないし請求項５記載の携帯電話機。
【発明の詳細な説明】
【０００１】
【発明の属する技術分野】
本発明は、過去における着信の有無を通知する機能を有する携帯電話機に関する。
【０００２】
【従来の技術】
携帯電話機は、過去における着信の有無を示す着信履歴を液晶パネル等の表示装置に表示することができる着信通知機能を備えているものが多い。このような携帯電話機を使用する場合には、ユーザは、移動中等のように着信応答することができなかった期間内に着信があったか否かを確認することができる。そして、このような着信通知機能を備えた携帯電話機は、ユーザからの操作指示に従って着信履歴を表示したり、または、表示装置を常時起動させた状態で着信履歴を表示していた。
【０００３】
ユーザからの操作指示に従って着信履歴を表示する携帯電話機では、ユーザは、ダイアル部等において着信の有無を確認するために所定のキー操作等を行い、携帯電話機は、そのキー入力に応じて着信履歴を表示装置に表示していた。そして、着信があった場合には、「不在着信あり」等といったメッセージを表示装置に表示するのが一般的であった。
【０００４】
また、表示装置を常時起動させた状態で着信履歴を表示する携帯電話機では、携帯電話機は、着信に対する応答がされなかった場合に自動的に「不在着信あり」等といったメッセージを表示装置に表示するのが一般的であった。
【０００５】
【発明が解決しようとする課題】
しかし、上記に示したような携帯電話機では、以下に示すような問題がある。即ち、ユーザからの指示に応じて着信履歴を表示する携帯電話機では、ユーザは、着信の有無を確認するために特別な操作（複雑なキー入力）をする必要がある。換言すれば、ユーザは、着信の有無を確認するためには、そのような特別な操作を覚える必要がある。従って、このような携帯電話機において着信の有無を確認する場合に、ユーザは、不便に感じることがある。
【０００６】
また、表示装置を常時起動させた状態で着信履歴を表示する携帯電話機では、自動的に着信履歴を表示装置に表示するので、ユーザは、容易に着信の有無を確認することができるが、表示装置には常時電力が供給されるので、携帯電話機の消費電力が増大してしまう。そのため、このような携帯電話機では、稼動時間（待受可能時間、通話可能時間）が短くなってしまうという問題がある。
【０００７】
そこで、本発明は、特別な操作をすることなしに過去における着信の有無を確認することができるとともに消費電力の低減を図ることができる携帯電話機を提供することを目的とする。
【０００８】
【課題を解決するための手段】
本発明による携帯電話機は、携帯電話機の主機能を司る制御部と、着信に関する情報を表示するための表示部と、着信を検知し、着信に関する情報を蓄積する着信検知部と、周囲の光量の変化を検知する光量変化検出部と、着信の有無を通知する通知部と、着信検知部が有する情報と光量変化検出部での検出結果に基づいて通知部に着信の有無を通知させる判定部とを備え、制御部は、光量変化検出部が光量の増加を検知した場合に、着信検知部が有する着信に関する情報を表示部に一定期間表示させることを特徴とする。一定期間は、１０秒程度の期間である。このように、制御部が一定期間着信に関する情報を表示部に表示することによって、ユーザは、着信の情報を確認するためにキー操作等の特別な操作をする必要がなくなる。
【０００９】
判定部は、光量変化検出部が周囲の光量が増加したことを検出した場合に、通知部に着信の有無を通知させる。即ち、判定部は、周囲における光量が増大したことを検知することによりユーザが携帯電話機を手に取ったと認識し、通知部に着信の有無を通知させる。着信の有無は、ＬＥＤ等の発光、液晶パネル等の表示、着信音等によってユーザに通知される。
【００１０】
通知部は、携帯電話機の外面に設置される。例えば、折り畳み可能な携帯電話機では、折り畳まれた状態でユーザが外部から見える位置に設置される。このような場所に通知部を設置することによって、ユーザは、携帯電話機の外部から、過去における着信の有無を確認することができる。
【００１１】
通知部は、第１の発光部と、第２の発光部とから成り、判定部は、着信有の場合に第１の発光部を発光させ、着信無の場合に第２の発光部を発光させる。第１の発光部の発光色と第２の発光部の発光色とは異なることが望ましい。例えば、第１の発光部の発光色は、赤色等の暖色系の発光色であることが望ましく、第２の発光部の発光色は、青色等の寒色系の発光色であることが望ましい。このように、第１の発光部と第２の発光部の発光色を区別することにより、ユーザは、過去における着信の有無を容易に確認することができる。
【００１２】
通知部は、複数の発光色を有する発光素子であり、判定部は、着信の有無に応じた発光色を通知部に発光させる。このような発光素子は、例えば、２色ＬＥＤである。例えば、赤色と緑色の発光色を発する２色ＬＥＤが用いられた場合には、判定部は、着信有の場合には、赤色を発光させ、着信無の場合には、緑色を発光させる。このように、着信の有無に応じて発光色の色分けをすることで、ユーザは、容易に過去における着信の有無を確認することができる。
【００１３】
判定部は、使用者によって着信の有無を確認するための動作が為されたときに、通知部に着信の有無を通知させる。例えば、携帯電話機の特別なキーが押された場合に、通知部に着信の有無を通知させる。このようにすれば、暗い場所などのように周囲の光量が変化しない場所においても、ユーザは、特別なキーを操作することによって、過去における着信の有無を確認することができる。
【００１５】
【発明の実施の形態】
以下、本発明による携帯電話機の実施の形態について図面を参照して説明する。図１は、本発明による携帯電話機の外観の一例を示す説明図である。
【００１６】
図１に示す携帯電話機１は、一般的なＰＨＳや携帯電話機等の移動体通信端末の機能を有するとともに、発光素子２、発光素子３およびフォトセンサ素子４を備えている。発光素子２、発光素子３およびフォトセンサ素子４は、携帯電話機１の外面に設置される。特に、図１に示すような折りたたみ筐体構造を有する携帯電話機１では、折り畳まれた状態でユーザから見える位置に設置される。また、フォトセンサ素子４は、例えば、発光素子２および発光素子３の近傍に設置される。フォトセンサ素子４は、携帯電話機１の周囲における光量を検出するために用いられ、例えば、フォトダイオードである。
【００１７】
発光素子２は、過去おいて着信があったことを通知するために用いられ、着信があった場合には、点灯または点滅することによってユーザに着信があったことを通知する。発光素子３は、過去において着信が無かったことを通知するために用いられる。発光素子２、３は、消費電力が小さい発光素子であり、例えば、発光ダイオード（ＬＥＤ）である。例えば、発光素子２は、赤色、橙色等の暖色系の色を発光するＬＥＤで、発光素子３は、青色、緑色等の寒色系の色を発光するＬＥＤである。暖色系の発光色は、ユーザに対して何らかの操作を促していることを直感的に伝える効果があり、寒色系の発光色は、ユーザに対して何の操作を要求していないことを直感的に伝える効果があるからである。
【００１８】
図２は、携帯電話機１の内部の構成を示すブロック図である。携帯電話機１は、光量変化検出部６、記憶部８、判定部９、発光素子制御部１０、発光素子制御部１１、制御部２０、音声入出力部２１、マイクロフォン（以下、マイクという。）２２、スピーカ２３、キー操作検出部２５、キーパッド２４、表示制御部２６、表示部２７および無線制御部２８を備えている。
【００１９】
無線制御部２８は、アンテナ（図示していない）を介して受信した信号を制御部２０に対して出力し、制御部２０から出力された信号をアンテナを介して外部に対して送信する。制御部２０は、記憶部８から情報を読み出し、記憶部８に情報を書きこむ。記憶部８は、ＳＲＡＭ等の記憶媒体で構成される。制御部２０は、携帯電話機１の全体の制御を行い、例えば、中央処理演算装置（ＣＰＵ）等で構成される。
【００２０】
マイク２２は、入力された送話音声を電気信号に変換して送話信号として音声入出力部２１に出力する。スピーカ２３は、音声入出力部２１から入力した受話音声信号に基づいて受話音声を発する。音声入出力部２１は、マイク２２からの送話信号に対してＡ−Ｄ変換等の処理を施して制御部２０に対して出力し、制御部２０から入力した信号に対してＤ−Ａ変換等の処理を施してスピーカ２３に対して出力する。
【００２１】
キー操作検出部２５は、キーパッド２４でキーの押下動作がされたときに、押し下げられたキーに対応するキー検出信号を制御部２０に対して出力する。表示制御部２６は、制御部２０からの表示指令信号に応じた表示情報を表示部２７に表示させる。表示部２７は、液晶パネル等の表示装置で実現される。
【００２２】
判定部９は、光量変化検出部６および記憶部８からの情報を入力し、発光素子制御部１０および発光素子制御部１１に対して情報を出力する。
【００２３】
図３は、携帯電話機１における着信有無通知に関わる部分を示すブロック図である。光量変化検出部６、判定部９、発光素子制御部１０、発光素子制御部１１および制御部２０は、例えば、電気回路によって実現される。
【００２４】
フォトセンサ素子４は、携帯電話機１の周囲の光量を検出し、光量検出信号を光量変化検出部６に対して出力する。光量変化検出部６は、フォトセンサ素子４からの光量検出信号の信号レベルの時間変化を検出する。即ち、光量検出信号の信号レベルを時々刻々監視することによって、携帯電話機１の周囲における光量の変化を検出する。光量変化検出部６は、周囲の光量の急激な増加を検出した場合には、表示指示信号ｓ１を判定部９に対して出力する。表示指示信号ｓ１は、一定期間（１０秒程度の間）出力される。
【００２５】
制御部２０は、着信を受けた場合には、着信があったことを示す着信信号ｓ２を記憶部８に対して出力する。記憶部８は、一度以上着信信号ｓ２を入力した場合には、着信有信号ｓ４を判定部９に対して出力する。また、制御部２０は、キーパッド２４等において着信の有無を確認するための動作が為された場合には、確認信号ｓ３を記憶部８に対して出力する。記憶部８は、確認信号ｓ３を一度以上入力した場合には、着信有信号ｓ４の出力を停止する。なお、着信信号ｓ２には、発信者番号、発信者名、着信時刻等の着信詳細情報が含まれている。
【００２６】
判定部９は、光量変化検出部６および記憶部８からの入力信号に応じて発光素子制御部１０および発光素子制御部１１に対して信号を出力する。即ち、判定部９は、表示指示信号ｓ１および着信有信号ｓ４の入力結果に応じて発光指示信号ｓ５およびｓ６を出力する。発光素子制御部１０は、発光指示信号ｓ５を入力すると、一定期間（１０秒程度の間）発光素子２を点灯または点滅させる。また、発光素子制御部１０は、発光指示信号ｓ５に同期して発光素子２を点灯または点滅させてもよい。同様に、発光素子制御部１１は、発光指示信号ｓ６を入力すると、発光素子３を一定期間点灯または点滅させる。
【００２７】
図４は、判定部９の回路構成の一例を示す回路図である。判定部９は、論理積演算素子（以下、ＡＮＤゲートという。）１２、１３および否定演算素子（以下、ＮＯＴゲートという。）１４から成る。ＡＮＤゲート１２において、入力側の一端は、光量変化検出部６の出力側に接続され、入力側の他端は、記憶部８に接続され、出力側は、発光素子制御部１０の入力側に接続されている。ＡＮＤゲート１３において、入力側の一端は、光量変化検出部６の出力側に接続され、入力側の他端は、ＮＯＴゲート１４を介して記憶部８に接続され、出力側は、発光素子制御部１１の入力側に接続されている。
【００２８】
判定部９は、図５に示すような真理値表に従って動作する。即ち、以下の（１）〜（４）に示すような動作を行う。真理値表において、「Ｌ］は、ローレベル（信号無）、「Ｈ」は、ハイレベル（信号有）を示す。（１）表示指示信号ｓ１および着信有信号ｓ４の入力が無い場合には、発光指示信号ｓ５およびｓ６を出力しない。（２）表示指示信号ｓ１の入力が無く、かつ、着信有信号ｓ４の入力がある場合には、発光指示信号ｓ５およびｓ６を出力しない。（３）表示指示信号ｓ１の入力があり、かつ、着信有信号ｓ４の入力がない場合には、発光指示信号ｓ５を出力せず、かつ、発光指示信号ｓ６を出力する。（４）表示指示信号ｓ１の入力があり、かつ、着信有信号ｓ４の入力がある場合には、発光指示信号ｓ５を出力し、かつ、発光指示信号ｓ６を出力しない。
【００２９】
ここで、フォトセンサ素子４および光量変化検出部６は、光量変化検出部に相当し、発光素子２、３は、通知部に相当する。着信検知部は、制御部２０および記憶部８で実現される。特に、発光素子２は、第１の発光部に相当し、発光素子３は、第２の発光部に相当する。
【００３０】
次に、図１に示す携帯電話機１の動作について図６を参照して説明する。図６は、携帯電話機１の動作を説明するためのフローチャートである。
【００３１】
光量変化検出部６は、フォトセンサ素子４から光量検出信号を入力し（ステップＳ４１）、その光量検出信号に基づいて周囲環境における光量が急激に増大したか否かを判断する（ステップＳ４２）。そして、光量の急激な増大を検出した場合には、表示指示信号ｓ１を判定部９に出力し、そうでない場合には、表示指示信号ｓ１を出力しない。
【００３２】
判定部９は、図５に示す真理値表に従って発光指示信号ｓ５およびｓ６の出力制御を行う。即ち、表示指示信号ｓ１の入力が無かった場合には、発光指示信号ｓ５およびｓ６を出力しない。表示指示信号ｓ１の入力があり、かつ、着信有信号ｓ４の入力がある場合には、発光指示信号ｓ５を発光素子制御部１０に対して出力する（ステップＳ４３，Ｓ４４）。発光素子制御部１０は、発光指示信号ｓ５を入力すると、発光素子２を点灯または点滅させる。表示指示信号ｓ１の入力があり、かつ、着信有信号ｓ４の入力が無い場合には、発光指示信号ｓ６を発光素子制御部１１に対して出力する（ステップＳ４３，Ｓ４５）。発光素子制御部１１は、発光指示信号ｓ６を入力すると、発光素子３を点灯または点滅させる。携帯電話機１は、図６に示す動作を繰り返し行う。
【００３３】
いま、携帯電話機１を光量の変化の少ない場所または無い場所に放置した場合を考える。例えば、携帯電話機１をユーザの鞄の中等に収納している場合を考える。この場合、光量変化検出部６は、光量の急激な増加を検出しないので、表示指示信号ｓ１を出力しない（ステップＳ４１，Ｓ４２）。従って、判定部９は、発光指示信号ｓ５およびｓ６を出力しないので、発光素子２および３は、点灯または点滅しない。
【００３４】
次に、携帯電話機１の周囲環境の光量を急激に増大させた場合を考える。例えば、ユーザの鞄の中等の暗い場所に収納されている携帯電話機１を周囲環境が明るい場所で取り出した場合を考える。
【００３５】
この場合、光量変化検出部６は、光量の急激な増大を検出するので、表示指示信号ｓ１を判定部９に対して出力する（ステップＳ４１，Ｓ４２）。判定部９は、着信有信号ｓ４の入力の有無によって着信の有無を確認し、着信が有った場合には、発光指示信号ｓ５を発光素子制御部１０に出力することにより（ステップＳ４３，Ｓ４４）、発光素子２を点灯または点滅させ、着信が無かった場合には、発光指示信号ｓ６を発光素子制御部１１に出力することにより（ステップＳ４３，Ｓ４５）、発光素子３を点灯または点滅させる。それにより、ユーザは、携帯電話機１の外面に設置されている発光素子２、３の発光を確認することにより、容易に過去における着信の有無を確認することができる。
【００３６】
ユーザは、発光素子２の発光により過去に着信があったことを認識すると、キーパッド２４における特定キー等を押す等して確認操作を行う。すると、制御部２０は、確認信号ｓ３を記憶部８に出力し、記憶部８は、着信有信号ｓ４を出力しなくなる。従って、次の機会に、暗い場所に格納された携帯電話機１を明るい場所で取り出した場合、その時までに着信が無かったときには、着信有信号ｓ４が出力されないので、判定部９は、発光素子３を発光させる。また、その時までに着信があったときには、記憶部８は、制御部２０からの着信信号ｓ２の通知によって着信有信号ｓ４を出力するので、判定部９は、発光素子２を発光させる。
【００３７】
以上のように、本実施の形態によれば、携帯電話機１は、周囲の光量が増大した場合に、ユーザが携帯電話機１を手に取ったと判断して、外面に設置されている発光素子２、３を点灯または点滅させ、ユーザは、発光素子２、３の発光を外部から確認することによって過去における着信の有無を確認することができるので、着信の有無を確認するための特別な操作（キー操作等）が不要になる。特に、図１に示すような折り畳み可能な携帯電話機１では、ユーザは、折り畳んだままの状態で外部から過去における着信の有無を確認することができる。
【００３８】
また、ユーザは、発光素子２、３の点灯または点滅を確認することによって着信の有無を確認することができるので、従来の携帯電話機のように、表示部を起動させた状態で着信の有無を確認する必要がなくなる。即ち、携帯電話機１は、過去における着信の有無を通知するために必ずしも表示部を起動させる必要が無くなる。そのため、携帯電話機１の消費電力の低減を図ることができるので、携帯電話機１の稼動時間を延ばすことができる。
【００３９】
次に、本発明による携帯電話機の第２の実施の形態について説明する。図７は、本発明による第２の実施の形態の構成を示すブロック図である。図７に示す携帯電話機１ａは、判定部９の代わりに判定部９ａを用い、判定部９ａが制御部２０からの制御信号ｓ７を入力する構成となっている点で、図２、３に示す携帯電話機１と異なる。
【００４０】
図８は、判定部９ａの回路構成の一例を示す回路図である。判定部９ａは、図３に示す判定部９に論理和演算素子（ＯＲゲート）１５を追加した構成となっている。ＯＲゲート１５は、光量変化検出部６からの表示指示信号ｓ１と制御部２０からの制御信号ｓ７との論理和を取り、その出力信号をＡＮＤゲート１２およびＡＮＤゲート１３の入力側の一端に供給する。また、ＡＮＤゲート１２およびＡＮＤゲート１３の入力側の他端の接続形態は、図３に示す判定部９と同様である。即ち、判定部９ａは、表示指示信号ｓ１が入力された場合にも、制御信号ｓ７が入力された場合にも、同じ動作を行う構成になっている。
【００４１】
制御部２０は、ユーザによって着信の有無を確認するための特別な操作が為された場合には、制御信号ｓ７を出力する。例えば、着信の有無を確認するために携帯電話機１ａの側面等に設置されているサイドボタンや、キーパッド２４の特定のボタンが押された場合に、制御信号ｓ７を出力する。
【００４２】
いま、周囲が暗い場所において、ユーザが、鞄等の中から携帯電話機１ａを取り出した場合を考える。この場合、光量変化検出部６は、光量の急激な増加を検出しないので表示指示信号ｓ１を出力しないが、着信の有無を確認するための特別な操作がされた場合には、制御部２０は、制御信号ｓ７を出力するので、判定部９ａは、着信の有無に応じて発光指示信号ｓ５およびｓ６を出力することにより発光素子２、３を点灯または点滅させることができる。従って、ユーザは、このような場合においても、サイドボタン等を押すことによって、発光素子２、３を点灯または点滅させることにより過去における着信の有無を確認することができる。
【００４３】
このように、判定部９ａを図８に示すような構成にすることによって、ユーザは、暗い状況下にいても、特定のボタン等を押すことによって発光素子２、３を点灯または点滅させることができ、過去における着信の有無を容易に確認することができる。
【００４４】
次に、本発明による携帯電話機の第３の実施の形態について説明する。図９は、本発明による携帯電話機の第３の実施の形態の構成を示すブロック図である。図９に示す携帯電話機１ｂは、制御部２０が光量変化検出部６からの表示指示信号ｓ１に基づいて表示制御部２６を介して表示部２７の表示制御を行う構成となっている点において、図３に示す携帯電話機１と異なる。
【００４５】
光量変化検出部６は、周囲の光量が急激に増大したことを検出すると、表示指示信号ｓ１を出力する。制御部２０は、表示指示信号ｓ１を入力すると、記憶部８に既に記憶されている着信詳細情報を読み出し、表示制御部２６を通じて表示部２７にその詳細情報を表示する。詳細情報の表示は、例えば、１０秒間程度の期間為される。
【００４６】
このように、携帯電話機１ｂを図９に示すような構成にすることによって、ユーザは、発光素子２、３の発光により過去における着信の有無を確認した後に、キー操作等の特別な操作をすることなしに、着信に関する詳細情報を確認することができる。即ち、発光素子２、３が点灯または点滅している間には、既に表示部２７には着信に関する詳細情報が表示されているので、ユーザは、表示部２７を見るだけで詳細情報を確認することができる。
【００４７】
また、図示していないが、光量変化検出部６は、表示指示信号ｓ１を表示部２７の電力供給部に対して出力し、電力供給部は、表示指示信号ｓ１を入力すると、電力を供給することによって表示部２７を一定期間駆動させてもよい。このとき、制御部２０が着信検知した場合に表示制御部２６を介して着信に関する詳細情報を表示させるための情報を表示部２７に出力する場合には、表示部２７は、駆動時間中には詳細情報を表示するので、ユーザは、過去における着信の有無を確認した後に特別な操作をすることなしに、着信に関する詳細情報を確認することができる。
【００４８】
なお、上記の３つの実施の形態では、発光素子２、３の発光色が予め固定された場合について例示したが、発光素子２、３の発光色をユーザの趣向に合わせて変更できるようにしてもよい。例えば、図１０に示すように、発光素子２として赤色ＬＥＤ５１、緑色ＬＥＤ５２および青色ＬＥＤ５３を用い、ＬＥＤ５１〜５３をスイッチ５４〜５５を介して発光素子制御部１０に接続し、スイッチ５４〜５５をオン・オフすることによって、ユーザ自身にとって分かりやすい色で発光素子２を点灯または点滅させることができる。発光素子３についても同様である。
【００４９】
スイッチ５４〜５６は、例えば、制御部２０からの制御によりオン・オフ動作が可能な電子スイッチである。このようにすれば、ユーザは、種々の動作設定等を行うメニュー上において、発光素子２、３の発光色を黄色、紫色等のように好みに合わせて指定することができる。例えば、発光素子２の発光色として黄色が指定された場合には、制御部２０は、スイッチ５５および５６を導通状態にすることによって、発光素子２を黄色で発光させることができる。
【００５０】
また、上記の実施の形態では、発光素子２、３が単色のＬＥＤである場合を例に説明したが、２色以上の色を発光することができる多色発光ＬＥＤを用いて、着信の有無を通知してもよい。このとき、図３に示す発光素子制御部１０と発光素子制御部１１とを統合して発光素子制御部１０ａとし、多色発光ダイオードと発光素子制御部１０ａとを接続し、判定部９が、発光指示信号ｓ８および発光色を指定するための色指定信号ｓ９を発光素子制御部１０ａに出力し、発光素子制御部１０ａが発光指示信号ｓ８をトリガとして色指定信号ｓ９で指定された色の端子に電力を供給する構成にするとよい。
【００５１】
この場合、判定部９は、表示指示信号ｓ１の入力があった場合には、発光指示信号ｓ８を出力し、さらに、着信有信号ｓ４が入力された場合には、色指定信号ｓ９を出力し、着信有信号ｓ４が入力されなかった場合には、色指定信号ｓ９を出力しないようにする。例えば、赤色と緑色を発光する２色ＬＥＤが用いられた場合には、発光素子制御部１０ａは、発光指示信号ｓ８を入力し、色指定信号ｓ９が入力された場合には、対応する端子に電力を供給することで発光素子２を赤色で発光させ、色指定信号ｓ９を入力しなかった場合には、対応する端子に電力を供給することで発光素子２を緑色で発光させることができる。
【００５２】
このように、発光素子２、３の代わりに多色ＬＥＤを用い、携帯電話機が着信の有無に応じた発光色を発光させることにより、ユーザは、過去における着信の有無を確認することができる。
【００５３】
さらに、上記の実施の形態では、判定部９（９ａも含む）が電気回路（論理回路）で構成された例について示したが、判定部９は、ＣＰＵ等の演算装置によって実現されてもよい。この場合、判定部９は、制御部２０の機能の一部として組み込まれてもよい。
【００５４】
また、上記の実施の形態では、着信の有無を通知する手段としてＬＥＤを用いた場合について説明したが、ＬＥＤの代わりに液晶パネルである表示部２７を用いてもよい。例えば、表示部２７が露出している携帯電話機（折り畳みができない携帯電話機等）では、制御部２０（判定部９）が、周囲の光量が急激に増加した場合に、着信の有無に応じて表示部２７のバックライトを点灯または点滅させたり、表示部２７のバックライトの発光色を変化させたりして、過去における着信の有無をユーザに通知してもよい。
【００５５】
さらに、上記の実施の形態では、ＬＥＤや液晶パネル等の表示手段を用いて過去における着信を通知する例について示したが、着信音（着信メロディ）によって着信の有無を通知してもよい。この場合、制御部２０（判定部９）が、周囲の光量が急激に増加した場合に、着信の有無に応じた着信音を音声入出力部２１を介してスピーカ２３から出力することによって、着信音による着信の有無の通知が可能になる。また、この場合においても、ユーザの好みに応じて着信音を選択可能にしてもよい。
【００５６】
【発明の効果】
本発明によれば、携帯電話機は、周囲の光量の変化に応じて着信の有無をユーザに通知するので、ユーザは、当別な操作をすることなしに、過去における着信の有無を確認することができる。また、着信の有無を確認するために必ずしも表示部を起動させる必要が無くなるので、携帯電話機における消費電力の低減化を図ることができる。
【図面の簡単な説明】
【図１】  本発明による携帯電話機の外観の一例を示す説明図である。
【図２】  携帯電話機１の内部の構成を示すブロック図である。
【図３】  携帯電話機１における着信有無通知に関わる部分を示すブロック図である。
【図４】  判定部９の回路構成の一例を示す回路図である。
【図５】  判定部９の入力と出力の関係を示す真理値表である。
【図６】  携帯電話機１の動作を説明するためのフローチャートである。
【図７】  本発明による第２の実施の形態の構成を示すブロック図である。
【図８】  判定部９ａの回路構成の一例を示す回路図である。
【図９】  本発明による携帯電話機の第３の実施の形態の構成を示すブロック図である。
【図１０】  発光素子制御部の一構成例を示す説明図である。
【符号の説明】
１    携帯電話機
２    発光素子
３    発光素子
４    フォトセンサ素子
６    光量変化検出部
８    記憶部
９    判定部
１０  発光素子制御部
１１  発光素子制御部
２０  制御部
【図１】
0004151227.tif 000002
【図２】
0004151227.tif 000003
【図３】
0004151227.tif 000004
【図４】
0004151227.tif 000005
【図５】
0004151227.tif 000006
【図６】
0004151227.tif 000007
【図７】
0004151227.tif 000008
【図８】
0004151227.tif 000009
【図９】
0004151227.tif 000010
【図１０】
0004151227.tif 000011